(57)【要約】［課題］  現状のパソコンは入力キーの入力を柔らかい肉質の指面で入力しているので、パソコンの小型化はキーボードのキーピッチを１４ミリメートル前後に下げたところで限界にきている。［解決手段］  パソコンの入力キーを柔らかい肉質の指面に代えて、硬質の突起で入力することで、入力キーをキーボードのキーピッチを５ミリメートル前後に小型蜜配列出来るので、パソコンの小型化または機能を拡充することができる。【選択図】  図１
2005141710.tif 000002
【特許請求の範囲】
【請求項１】
パソコンの小型化は指先面だけのキー入力では、入力キーの面積とキーピッチ配列だけを小型にしても、指面が他のキーも入力する誤操作をするので小型化の限度にきている。
指先面だけのキー入力に替えて突起指輪の突起でキー入力をすれば、突起の大きさに対応して、入力キーの小型化とキーピッチの短化を進めれば、簡単にキー入力が出来る。
このことから特許請求の範囲は突起指輪と指輪の突起入力を前提とする小型入力キーおよびキーの密集配列とする。
【発明の詳細な説明】
［技術分野］
【０００１】  パソコンの入力キーは指先面だけで入力しているが、本発明は指先に突起指輪をつけ入力することを前提に、キーを超小型密集配列にし機器を超小型化および機能を拡充するものである。
［背景技術］
【０００２】  従来のパソコンの入力キーは指先面積約７０平方ミリメートル位を前提にしているので、キー面積は７０平方ミリメートル前後、キーピッチは１４ミリメートル前後が限度である。
キーを押すときに指が視野を妨げず隣接ボタンに指がかからない、誤動作を生じない限度の配列である。
パソコンの小型化は入力キーを指先面だけでの入力ではキー面積およびキーピッチ配列から限度にきている。
［発明の開示］
［発明が解決しようとする課題］
【０００３】  この発明は既存のパソコンのキー入力を指幅約１４ミリメートル指先面積約７０平方ミリメートルの柔らかい肉質の面に替えて、直径２ミリメートル約３平方ミリメートル以下の硬質の小さい突起を指先につけてキーを押すことで、大幅に入力可能なキーの小型化と密集配列を可能にし、パソコン機器を小型化またはキー数を増加し機能を拡充せんとするものである。
［課題を解決するための手段］
【０００４】  入力キーを押す突起は約３平方ミリメートル以下の硬質の突起を指輪にＴ型の枝をつけ、その先に付けるものとする。
このことでボタンと眼を結ぶ視野を指先幅約１４ミリメートルが幅２ミリメートルとなり、視野が大幅に改善され、ボタンを直視でき、入力の誤操作を防止することになる。
このためにキーボードの入力キーも９平方ミリメートル前後に小型に出来るし、キーピッチを５ミリメートル前後にできる。
入力キーは入力面が狭いので、突起が入力するとき滑らないよう、入力キー面に凹みをつける。
［発明の効果］
【０００５】    この発明によってパソコンの入力キーボードを大幅に小型にするとか、キー数を増加し付加機能を大幅に付与することができる。
［発明を実施するための最良の形態］
【０００６】  パソコンの小型化は電気回線の問題よりも、キーボードの入力キーの小型化にいきつまり、小型化が進行していない。
キー入力を指先面の柔らかい大きな面から硬質の小さい突起に変えることで入力キーを小型に出来、キーボードおよび機器本体の小型化あるいわは機能向上に貢献することが出来る。
［実施例１］
【０００７】  図１  図２は突起指輪の概要を示すものである。
［産業上の利用可能性］
【０００８】  この発明はノートパソコンを現状より大幅に小型化にし、手帳型パソコンも考えられる。
キーボードが現状の大きさであれば入力キーを増加し新しい機能を付加したり、入力キー数を変えなければ余白に副デイスプレイ等を新しく加える発想も考えられる。
突起指輪はパソコン入力を両手または複数指での入力を想定したもので、手帳型パソコンまで小型になれば、片手でキーをゆっくり入力するので、鉛筆型の突起で小型キーに充分機能できる。
突起指輪のキー入力を一番利用されやすいのは、携帯電話機器である。
現状の携帯電話機器は狭いキーボードに大きなキーがつき、一つのキーに多くの機能を載せて居るので、操作がむつかしい。
突起指輪で入力キーを小さくし数を増加すれば簡単に障害を解決できるし、機能も拡大できる。
【図１】
2005141710.tif 000003
【図２】
2005141710.tif 000004
【手続補正書】
【提出日】平成16年1月28日(2004.1.28)
【手続補正１】
【補正対象書類名】明細書
【補正対象項目名】全文
【補正方法】変更
【補正の内容】
【発明の詳細な説明】
【技術分野】
【０００１】  パソコンの入力キーは指先面だけで入力しているが、本発明は指先に突起指輪をつけ入力することを前提に、キーを超小型密集配列にし機器を超小型化および機能を拡充するものである。［背景技術］【０００２】  従来のパソコンの入力キーは指先面積約７０平方ミリメートル位を前提にしているので、キー面積は７０平方ミリメートル前後、キーピッチは１４ミリメートル前後が限度である。  キーを押すときに指が視野を妨げず隣接ボタンに指がかからない、誤動作を生じない限度の配列である。  パソコンの小型化は入力キーを指先面だけでの入力ではキー面積およびキーピッチ配列から限度にきている。［発明の開示］［発明が解決しようとする課題］【０００３】  この発明は既存のパソコンのキー入力を指幅約１４ミリメートル指先面積約７０平方ミリメートルの柔らかい肉質の面に替えて、直径２ミリメートル約３平方ミリメートル以下の硬質の小さい突起を指先につけてキーを押すことで、大幅に入力可能なキーの小型化と密集配列を可能にし、パソコン機器を小型化またはキー数を増加し機能を拡充せんとするものである。［課題を解決するための手段］【０００４】  入力キーを押す突起は約３平方ミリメートル以下の硬質の突起を指輪にＴ型の枝をつけ、その先に付けるものとする。  このことでボタンと眼を結ぶ視野を指先幅約１４ミリメートルが幅２ミリメートルとなり、視野が大幅に改善され、ボタンを直視でき、入力の誤操作を防止することになる。  このためにキーボードの入力キーも９平方ミリメートル前後に小型に出来るし、キーピッチを５ミリメートル前後にできる。    入力キーは入力面が狭いので、突起が入力するとき滑らないよう、入力キー面に凹みをつける。［発明の効果］【０００５】    この発明によってパソコンの入力キーボードを大幅に小型にするとか、キー数を増加し付加機能を大幅に付与することができる。［発明を実施するための最良の形態］【０００６】  パソコンの小型化は電気回線の問題よりも、キーボードの入力キーの小型化にいきつまり、小型化が進行していない。  キー入力を指先面の柔らかい大きな面から硬質の小さい突起に変えることで入力キーを小型に出来、キーボードおよび機器本体の小型化、あるいは機能向上に貢献することが出来る。［実施例１］【０００７】  図１  図２は突起指輪の概要を示すものである。［産業上の利用可能性］【０００８】  この発明はノートパソコンを現状より大幅に小型化にし、手帳型パソコンも考えられる。  キーボードが現状の大きさであれば入力キーを増加し新しい機能を付加したり、入力キー数を変えなければ余白に副デイスプレイ等を新しく加える発想も考えられる。  突起指輪はパソコン入力を両手または複数指での入力を想定したもので、手帳型パソコンまで小型になれば、片手でキーをゆっくり入力するので、鉛筆型の突起で小型キーに充分機能できる。  突起指輪のキー入力を一番利用されやすいのは、携帯電話機器である。  現状の携帯電話機器は狭いキーボードに大きなキーがつき、一つのキーに多くの機能を載せて居るので、操作がむつかしい。  突起指輪で入力キーを小さくし数を増加すれば簡単に障害を解決できるし、機能も拡大できる。
【図面の簡単な説明】
【０００９】
【図１】突起指輪  指に装着した側面図突起が指先から出て、入力キーを指の障害なく直視できる状況を、側面から見た図である。
【図２】突起指輪  指に装着した平面図  指に装着した底面図突起が指先から出て、入力キーを指の障害なく直視できる状況を、平面および底面から見た図である、［符号の説明］
【００１０】    Ａ  指輪リング本体            Ｂ  指輪リングからＴ型にでた枝    Ｃ  キーを押す突起            Ｄ  指